(57)【特許請求の範囲】
【請求項１】
特定のイベントが生じることが観測されると、ユーザ機器により現在使用されているネットワーク種類を取得するステップと、
前記取得したネットワーク種類に従って、該ネットワーク種類に対応するネットワーク履歴使用情報を決定するステップと、
前記現在使用されているネットワーク種類及びトラフィック使用状況をユーザに知らせるために、前記ネットワーク履歴使用情報に従って前記ユーザに想起させるステップと、
を含み、
前記特定のイベントは、前記ユーザ機器を覚醒するために物理キーに接触するユーザ操作又はロック解除のために前記ユーザ機器のタッチスクリーン上のアイコンをタップするユーザ操作を含む監視されるべきユーザ操作を含む、情報想起方法。
【請求項２】
前記ユーザ機器にインストールされた全てのアプリケーションプログラムを前記ユーザに提示し、前記ユーザの選択に従って、監視されるべきアプリケーションプログラムを設定するステップ、又は
サーバによりプッシュされる監視されるべきアプリケーションプログラムのリストを受信し、監視されるべきアプリケーションプログラムの前記リストの中のアプリケーションプログラムに従って、監視されるべきアプリケーションプログラムを設定するステップ、又は
前記ユーザ機器のクエリ要求に応答してサーバにより送信される監視されるべきアプリケーションプログラムのリストを受信し、監視されるべきアプリケーションプログラムの前記リストの中のアプリケーションプログラムに従って、監視されるべきアプリケーションプログラムを設定するステップであって、前記ユーザ機器の前記クエリ要求は、前記ユーザ機器にインストールされたアプリケーションプログラムを表すために使用できる、ステップ、又は
ユーザ機器により識別できるユーザ操作を前記ユーザに提示し、前記ユーザの選択に従って監視されるべきユーザ操作を設定するステップ、
を更に有する請求項１に記載の方法。
【請求項３】
前記取得したネットワーク種類に従って、該ネットワーク種類に対応するネットワーク履歴使用情報を決定するステップの前に、前記方法は、
前記ユーザ機器により現在使用されている前記ネットワーク種類が監視されるべきネットワーク種類であるか否かを決定するステップであって、前記監視されるべきネットワーク種類は、少なくとも１つの支払いを要求される種類を含む、ステップ、を更に含み、
前記取得したネットワーク種類に従って、該ネットワーク種類に対応するネットワーク履歴使用情報を決定するステップは、
前記ユーザ機器により現在使用されている前記ネットワーク種類が監視されるべきネットワーク種類であるとき、前記取得したネットワーク種類に従って、該ネットワーク種類に対応する前記ネットワーク履歴使用情報を決定するステップ、を含む、
請求項１乃至２のいずれか一項に記載の方法。
【請求項４】
ユーザに想起させるステップは、
テキスト、画像、アニメーション、及び音声の４つの提示方法のうちの１つ又は複数の方法の組合せで、前記現在使用されているネットワーク種類及び前記トラフィック使用状況を前記ユーザに提示し、予め設定された時間が経過した後に、前記提示を停止するステップ、
を含む、請求項１乃至２のいずれか一項に記載の方法。
【請求項５】
特定のイベントがユーザ機器において現在生じているか否かを監視するよう構成されるイベント監視モジュールと、
前記イベント監視モジュールが特定のイベントが生じていることを観測すると、前記ユーザ機器により現在使用されているネットワーク種類を取得し、前記取得したネットワーク種類に従って、該ネットワーク種類に対応するネットワーク履歴使用情報を決定するよう構成されるネットワーク監視モジュールと、
前記現在使用されているネットワーク種類及びトラフィック使用状況をユーザに知らせるために、前記ネットワーク履歴使用情報に従って、前記ユーザに想起させるよう構成される入力及び出力モジュールと、
を有し、
前記特定のイベントは、前記ユーザ機器を覚醒するために物理キーに接触するユーザ操作又はロック解除のために前記ユーザ機器のタッチスクリーン上のアイコンをタップするユーザ操作を含む監視されるべきユーザ操作を含む、ユーザ機器。
【請求項６】
前記入力及び出力モジュールは、前記ユーザ機器にインストールされた全てのアプリケーションプログラムを前記ユーザに提示するよう更に構成され、又は、サーバによりプッシュされる監視されるべきアプリケーションプログラムのリストを受信するよう構成され、又は、前記ユーザ機器のクエリ要求に応答してサーバにより送信される監視されるべきアプリケーションプログラムのリストを受信し、前記ユーザ機器の前記クエリ要求は、前記ユーザ機器にインストールされたアプリケーションプログラムを表すために使用できるよう構成され、又は、前記ユーザ機器により識別できるユーザ操作を前記ユーザに提示するよう構成され、及び
前記イベント監視モジュールは、前記ユーザの選択に従って監視されるべきアプリケーションプログラムを設定するよう更に構成され、又は、監視されるべきアプリケーションプログラムの前記リストの中のアプリケーションプログラムに従って監視されるべきアプリケーションプログラムを設定するよう構成され、又は、前記ユーザの選択に従って監視されるべきユーザ操作を設定するよう構成される、
請求項５に記載のユーザ機器。
【請求項７】
前記ネットワーク監視モジュールは、前記ユーザ機器により現在使用されているネットワーク種類が監視されるべきネットワーク種類であるか否かを決定し、前記監視されるべきネットワーク種類は少なくとも１つの支払いを要求される種類を含み、前記ユーザ機器により現在使用されているネットワーク種類が前記監視されるべきネットワーク種類であるとき、前記取得したネットワーク種類に従って、該ネットワーク種類に対応する前記ネットワーク履歴使用情報を決定する、よう更に構成される、請求項５乃至６のいずれか一項に記載のユーザ機器。
【請求項８】
前記入力及び出力モジュールは、テキスト、画像、アニメーション、及び音声の４つの提示方法のうちの１つ又は複数の方法の組合せで、前記現在使用されているネットワーク種類及び前記トラフィック使用状況を前記ユーザに提示し、予め設定された時間が経過した後に、前記提示を停止する、よう構成される、請求項５乃至６のいずれか一項に記載のユーザ機器。
【請求項９】
電子端末であって、プロセッサと、メモリと、入力及び出力モジュールと、を有し、前記メモリは、少なくとも１つのコンピュータプログラムを格納し、前記プロセッサは、前記入力及び出力モジュールを制御するために前記メモリに格納された前記コンピュータプログラムを呼び出すよう構成され、前記プロセッサと前記メモリと前記入力及び出力モジュールとは、バスを用いることにより互いに通信し、
前記プロセッサは、特定のイベントが生じていることが観測されると、前記電子端末により現在使用されているネットワーク種類が監視されるべきネットワーク種類か否かを決定するよう構成され、
前記メモリは、ネットワーク履歴使用情報及び現在のネットワーク情報を格納するよう構成され、
前記入力及び出力モジュールは、前記現在使用されているネットワーク種類及びトラフィック使用状況をユーザに知らせるために、前記ネットワーク履歴使用情報に従って前記ユーザに想起させるよう更に構成され、
前記特定のイベントは、前記電子端末を覚醒するために物理キーに接触するユーザ操作又はロック解除のために前記電子端末のタッチスクリーン上のアイコンをタップするユーザ操作を含む監視されるべきユーザ操作を含む、
電子端末。
【請求項１０】
前記入力及び出力モジュールは、前記電子端末にインストールされている全てのアプリケーションプログラムを前記ユーザに提示するよう更に構成され、又は、サーバによりプッシュされる監視されるべきアプリケーションプログラムのリストを受信するよう構成され、又は、前記電子端末により識別できるユーザ操作を前記ユーザに提示するよう構成され、及び
前記プロセッサは、前記ユーザの選択に従って監視されるべきアプリケーションプログラムを設定するよう更に構成され、又は、監視されるべきアプリケーションプログラムの前記リストの中のアプリケーションプログラムに従って監視されるべきアプリケーションプログラムを設定するよう構成され、又は、前記電子端末のクエリ要求に応答して前記サーバにより送信される監視されるべきアプリケーションプログラムのリストを受信し、前記電子端末の前記クエリ要求は、前記電子端末にインストールされたアプリケーションプログラムを表すために使用できるよう構成され、又は、前記ユーザの選択に従って監視されるべきユーザ操作を設定するよう構成される、
請求項９に記載の電子端末。
【請求項１１】
前記プロセッサは、前記電子端末により現在使用されているネットワーク種類が監視されるべきネットワーク種類であるか否かを決定し、前記監視されるべきネットワーク種類は少なくとも１つの支払いを要求される種類を含み、前記電子端末により現在使用されているネットワーク種類が前記監視されるべきネットワーク種類であるとき、前記決定したネットワーク種類に従って、該ネットワーク種類に対応する前記ネットワーク履歴使用情報を決定する、よう更に構成される、請求項９又は１０に記載の電子端末。
【請求項１２】
前記入力及び出力モジュールは、テキスト、画像、アニメーション、及び音声の４つの提示方法のうちの１つ又は複数の方法の組合せで、前記現在使用されているネットワーク種類及び前記トラフィック使用状況を前記ユーザに提示し、予め設定された時間が経過した後に、前記提示を停止する、よう構成される、請求項９又は１０に記載の電子端末。
【発明の詳細な説明】
【技術分野】
【０００１】
本発明は、インターネット技術の分野に関し、特に情報想起方法及び装置、並びに電子端末に関する。
【背景技術】
【０００２】
現在、モバイル端末がインターネットにアクセスする方法は、概して、セルラネットワーク方法及びＷＬＡＮ方法に分類され、異なるアクセス方法の間には料金の点で明らかな差がある。概して、ＷＬＡＮ方法がインターネットにアクセスするために採用されるときには支払いは要求されない。しかし、セルラネットワーク方法が採用されるときには、支払いが要求され、ユーザのトラフィック消費が該ユーザの予め設定されたパッケージを超えた後に又は国際ローミングの場合に、料金が有意に増大する。
【０００３】
実際の使用プロセスでは、ユーザがどのインターネットアクセス方法が現在のアプリケーションプログラムにより使用されているかを忘れてしまうので、アプリケーションプログラムを作動するプロセスにおいて、課金ネットワークの中で余分なトラフィックを使用する場合が生じる。
【発明の概要】
【０００４】
本発明の実施形態は、ユーザにネットワークトラフィックの消費を想起させるために、ユーザに現在のネットワーク種類及び履歴トラフィックデータを知らせることができる情報想起方法及び装置、並びに電子端末を提供する。
【０００５】
上述の目的を達成するため、以下の技術的解決策が本発明の実施形態において採用される。
【０００６】
第１の態様によると、本発明の一実施形態は、特定のイベントが生じることが観測されると、装置により現在使用されているネットワーク種類を取得するステップと、前記取得したネットワーク種類に従って、該ネットワーク種類に対応するネットワーク履歴使用情報を決定するステップと、前記ネットワーク履歴使用情報に従って、ユーザに想起させ、前記現在使用されているネットワーク種類及びトラフィック使用状況を前記ユーザに知らせるステップと、を含む情報想起方法を提供する。
【０００７】
第１の態様に関し、第１の可能な実装方法では、前記特定のイベントは、監視されるべきユーザ操作、前記装置の前記現在のネットワーク種類のハンドオーバー、監視されるべきアプリケーションプログラムの起動、及び監視されるべきアプリケーションプログラムにより使用されるネットワークトラフィックが閾を超える場合、のうちの１又は複数を含む。
【０００８】
第１の態様の第１の可能な実装方法に関し、第２の可能な実装方法では、方法は、システムにインストールされた全てのアプリケーションプログラムを前記ユーザに提示し、前記ユーザの選択に従って、監視されるべきアプリケーションプログラムを設定するステップ、又はサーバによりプッシュされる監視されるべきアプリケーションプログラムのリストを受信し、前記監視されるべきアプリケーションプログラムのリストの中のアプリケーションプログラムに従って、監視されるべきアプリケーションプログラムを設定するステップ、又は前記ユーザ機器のクエリ要求に応答してサーバにより送信される監視されるべきアプリケーションプログラムのリストを受信し、前記監視されるべきアプリケーションプログラムのリストの中のアプリケーションプログラムに従って、監視されるべきアプリケーションプログラムを設定するステップであって、前記ユーザ機器の前記クエリ要求は、前記ユーザ機器にインストールされたアプリケーションプログラムを表すために使用できる、ステップ、又はシステムにより識別できるユーザ操作を前記ユーザに提示し、前記ユーザの選択に従って監視されるべきユーザ操作を設定するステップ、を更に含む。
【０００９】
第１の態様又は第１の態様の最初の２つの可能な実装方法のいずれかに関し、第３の可能な実装方法では、前記取得したネットワーク種類に従って、該ネットワーク種類に対応するネットワーク履歴使用情報を決定するステップの前に、前記方法は、前記装置により現在使用されている前記ネットワーク種類が監視されるべきネットワーク種類であるか否かを決定するステップであって、前記監視されるべきネットワーク種類は、少なくとも１つの支払いを要求される種類を含む、ステップ、を更に含み、前記取得したネットワーク種類に従って、該ネットワーク種類に対応するネットワーク履歴使用情報を決定するステップは、前記装置により現在使用されている前記ネットワーク種類が監視されるべきネットワーク種類であるとき、前記取得したネットワーク種類に従って、該ネットワーク種類に対応する前記ネットワーク履歴使用情報を決定するステップ、を含む。
【００１０】
第１の態様又は第１の態様の最初の２つの可能な実装方法のいずれかに関し、第４の可能な実装方法では、ユーザに想起させるステップは、テキスト、画像、アニメーション、及び音声の４つの提示方法のうちの１つ又は複数の方法の組合せで、前記現在使用されているネットワーク種類及び前記トラフィック使用状況を前記ユーザに提示し、予め設定された時間が経過した後に、前記提示を停止するステップ、を含む。
【００１１】
第２の態様によると、本発明の一実施形態は、特定のイベントが装置において現在生じているか否かを監視するよう構成されるイベント監視モジュールと、特定のイベントが生じることが観測されると、装置により現在使用されているネットワーク種類を取得し、前記取得したネットワーク種類に従って、該ネットワーク種類に対応するネットワーク履歴使用情報を決定するよう構成されるネットワーク監視モジュールと、前記ネットワーク履歴使用情報に従って、ユーザに想起させ、前記現在使用されているネットワーク種類及びトラフィック使用状況を前記ユーザに知らせるよう構成される入力及び出力モジュールと、を含む情報想起装置を提供する。
【００１２】
第２の態様に関し、第１の可能な実装方法では、前記特定のイベントは、監視されるべきユーザ操作、前記装置の前記現在のネットワーク種類のハンドオーバー、監視されるべきアプリケーションプログラムの起動、及び監視されるべきアプリケーションプログラムにより使用されるネットワークトラフィックが閾を超える場合、のうちの１又は複数を含む。
【００１３】
第２の態様の第１の可能な実装方法に関し、第２の可能な実装方法では、前記入力及び出力モジュールは、システムにインストールされた全てのアプリケーションプログラムを前記ユーザに提示するよう更に構成され、又は、サーバによりプッシュされる監視されるべきアプリケーションプログラムのリストを受信するよう構成され、又は、前記ユーザ機器のクエリ要求に応答してサーバにより送信される監視されるべきアプリケーションプログラムのリストを受信し、前記ユーザ機器の前記クエリ要求は、前記ユーザ機器にインストールされたアプリケーションプログラムを表すために使用できるよう構成され、又は、システムにより識別できるユーザ操作を前記ユーザに提示するよう構成され、及び前記イベント監視モジュールは、前記ユーザの選択に従って監視されるべきアプリケーションプログラムを設定するよう更に構成され、又は、監視されるべきアプリケーションプログラムの前記リストの中のアプリケーションプログラムに従って監視されるべきアプリケーションプログラムを設定するよう構成され、又は、前記ユーザの選択に従って監視されるべきユーザ操作を設定するよう構成される。
【００１４】
第２の態様又は第２の態様の最初の２つの可能な実装方法のいずれかに関し、第３の可能な実装方法では、前記ネットワーク監視モジュールは、前記装置により現在使用されているネットワーク種類が監視されるべきネットワーク種類であるか否かを決定し、前記監視されるべきネットワーク種類は少なくとも１つの支払いを要求される種類を含み、前記装置により現在使用されているネットワーク種類が前記監視されるべきネットワーク種類であるとき、前記取得したネットワーク種類に従って、該ネットワーク種類に対応する前記ネットワーク履歴使用情報を決定する、よう更に構成される。
【００１５】
第２の態様又は第２の態様の最初の２つの可能な実装方法のいずれかに関し、第４の可能な実装方法では、前記入力及び出力モジュールは、テキスト、画像、アニメーション、及び音声の４つの提示方法のうちの１つ又は複数の方法の組合せで、前記現在使用されているネットワーク種類及び前記トラフィック使用状況を前記ユーザに提示し、予め設定された時間が経過した後に、前記提示を停止する、よう特に構成される。
【００１６】
第３の態様によると、本発明の一実施形態は、プロセッサと、メモリと、入力及び出力モジュールと、を含み、前記メモリは、少なくとも１つのコンピュータプログラムを格納し、前記プロセッサは、前記入力及び出力モジュールを制御するために前記メモリに格納された前記プログラムを呼び出すよう構成され、前記プロセッサと前記メモリと前記入力及び出力モジュールとは、バスを用いることにより互いに通信し、前記プロセッサは、装置により現在使用されているネットワーク種類が監視されるべきネットワーク種類か否かを決定するよう構成され、前記メモリは、ネットワーク履歴使用情報及び現在のネットワーク情報を格納するよう構成され、前記入力及び出力モジュールは、前記現在使用されているネットワーク種類及びトラフィック使用状況をユーザに知らせるために、前記ネットワーク履歴使用情報に従ってユーザに想起させるよう更に構成される、電子端末を更に提供する。
【００１７】
第３の態様に関し、第３の態様の第１の可能な実装方法では、前記特定のイベントは、監視されるべきユーザ操作、前記装置の前記現在のネットワーク種類のハンドオーバー、監視されるべきアプリケーションプログラムの起動、及び監視されるべきアプリケーションプログラムにより使用されるネットワークトラフィックが閾を超える場合、のうちの１又は複数を含む。
【００１８】
第３の態様の第１の可能な実装方法に関し、第３の態様の第２の可能な実装方法では、前記入力及び出力モジュールは、システムにインストールされた全てのアプリケーションプログラムを前記ユーザに提示するよう更に構成され、又は、サーバによりプッシュされる監視されるべきアプリケーションプログラムのリストを受信するよう構成され、又は、システムにより識別できるユーザ操作を前記ユーザに提示するよう構成され、及び前記プロセッサは、前記ユーザの選択に従って監視されるべきアプリケーションプログラムを設定するよう更に構成され、又は、監視されるべきアプリケーションプログラムの前記リストの中のアプリケーションプログラムに従って監視されるべきアプリケーションプログラムを設定するよう構成され、又は、前記ユーザ機器のクエリ要求に応答して前記サーバにより送信される監視されるべきアプリケーションプログラムのリストを受信し、前記ユーザ機器の前記クエリ要求は前記ユーザ機器にインストールされているアプリケーションプログラムを表すために使用できるよう構成され、又は、前記ユーザの選択に従って監視されるべきユーザ操作を設定するよう構成される。
【００１９】
第３の態様又は第３の態様の最初の２つの可能な実装方法のいずれかに関し、第３の態様の第３の可能な実装方法では、前記プロセッサは、前記装置により現在使用されているネットワーク種類が監視されるべきネットワーク種類であるか否かを決定し、前記監視されるべきネットワーク種類は少なくとも１つの支払いを要求される種類を含み、前記装置により現在使用されているネットワーク種類が前記監視されるべきネットワーク種類であるとき、前記取得したネットワーク種類に従って、該ネットワーク種類に対応する前記ネットワーク履歴使用情報を決定する、よう更に構成される。
【００２０】
第３の態様又は第３の態様の最初の２つの可能な実装方法のいずれかに関し、第３の態様の第４の可能な実装方法では、前記入力及び出力モジュールは、テキスト、画像、アニメーション、及び音声の４つの提示方法のうちの１つ又は複数の方法の組合せで、前記現在使用されているネットワーク種類及び前記トラフィック使用状況を前記ユーザに提示し、予め設定された時間が経過した後に、前記提示を停止する、よう特に構成される。
【００２１】
本発明の実施形態において提供される情報想起方法及び装置、並びに電子端末によると、ユーザにより使用されるネットワーク種類は、自動的に監視でき、ユーザは、実際の状況に従って、ユーザに関係のあるネットワーク情報及びトラフィック情報を想起させられる。本例では、トラフィックが課金されるネットワークにおいてユーザが余分なトラフィックを使用することを回避でき、したがって、ユーザの利益が保証される。
【図面の簡単な説明】
【００２２】
本発明の実施形態の又は従来技術の技術的解決策をより明確に説明するために、実施形態又は従来技術の説明に必要な図面が以下の通り導入される。明らかなことに、以下の説明中の添付の図面は、本発明のほんの一部の実施形態であり、これらの図面に従って当業者により創造的労力を有しないで他の図面も得られる。
【図１】本発明の一実施形態による情報連想方法のフローチャートである。
【図２】本発明の一実施形態による、ユーザに使用されるネットワーク種類を決定する方法のフローチャートである。
【図３】本発明の一実施形態による、ユーザに情報を想起させる方法のフローチャートである。
【図４】本発明の一実施形態による、コンテンツ表示方法のシナリオの概略図である。
【図５】本発明の一実施形態による、ユーザ操作の提示効果のシナリオの概略図である。
【図６】本発明の一実施形態による、情報想起方法全体のフローチャートである。
【図７】本発明の一実施形態による、情報想起方法の構成のブロック図である。
【図８】本発明の一実施形態による、情報想起のために使用される電子端末の構成のブロック図である。
【発明を実施するための形態】
【００２３】
以下に、本発明の実施形態の添付の図面を参照して、本発明の実施形態における技術的解決策を明確且つ十分に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００２４】
本発明で提供される技術的解決策は、クライアント装置が異なるインターネットアクセス方法を用いることによりインターネットにアクセスするアプリケーションシナリオに適用できる。本アプリケーションシナリオでは、ユーザ機器は、概して、ハンドヘルド端末、タブレットコンピュータ、ウェアラブル装置、家庭用コンピュータ、インターネットに接続可能なマルチメディア装置、等を含み、インターネットアクセス方法は、セルラネットワーク方法、ＷＬＡＮ方法、等を含む。
【００２５】
解決策に基づき、本発明は、どのようにユーザにネットワーク使用情報を想起させるかという技術的問題を解決するために、以下の実施形態を提供する。
【００２６】
本発明の一実施形態は、情報想起方法を提供する。図１に示すように、方法は以下のステップを含む。
【００２７】
１０１．特定のイベントが生じることが観測されると、装置により現在使用されているネットワーク種類を取得する。
【００２８】
特定のイベントは、端末の現在のネットワーク種類を取得するよう端末をトリガするイベントであり、監視されるべきユーザ操作、装置の現在のネットワーク種類のハンドオーバー、監視されるべきアプリケーションプログラムの起動、及び監視されるべきアプリケーションプログラムにより使用されるネットワークトラフィックが閾を超える場合、のうちの１又は複数を含んでも良い。
【００２９】
監視されるべきユーザ操作は、装置に対するユーザ操作命令、例えば、端末を覚醒するために物理キーに接触する操作、又はロック解除するためにタッチスクリーンの視覚的アイコンをタップする操作、を表す。
【００３０】
装置の現在のネットワーク種類のハンドオーバーは、装置により使用され得る、セルラネットワーク又はＷＬＡＮのようなあるネットワーク種類から別のネットワーク種類へのユーザ機器のハンドオーバー、例えば、セルラネットワークからＷＬＡＮへのハンドオーバー若しくはＷＬＡＮからセルラネットワークへ戻るハンドオーバー、を表す。ネットワーク種類のハンドオーバーの識別は、具体的には、異なる通信モジュールが送信及び受信すべきトラフィックデータを有するか否かを決定することにより実施されても良い。本発明の本実施形態は、これに関し更なる限定を設定しない。
【００３１】
監視されるべきアプリケーションプログラムの起動は、アプリケーションプログラムが自動的に実行する又はアイコンをタップすることによりユーザにより実行をトリガされることを意味する。
【００３２】
監視されるべきアプリケーションプログラムにより使用されるネットワークトラフィックが閾を超える場合は、アプリケーションプログラムが起動されインターネットに接続された後に、ネットワーク側から受信されるデータ及びネットワーク側へ送信されるデータが特定の閾を超えることを意味する。ここで閾は、数ＫＢから数十ＭＢの範囲に設定され、閾は、要件に従い具体的に設定される。
【００３３】
前に言及したネットワーク種類は、概して、ＷＬＡＮ又はセルラネットワークのようなネットワーク種類を表す。これらの種類のネットワークを使用した後に、ユーザ機器は、ネットワーク情報を取得するためにインターネットと通信しても良い。
【００３４】
さらに、本発明の本実施形態では、特定のイベントが設定されても良く、特定の設定方法は後に詳細に記載される。
【００３５】
前述のネットワーク種類は、概して、ユーザ機器がインターネットに接続されているときアクセスできるセルラネットワーク又はＷＬＡＮのようなネットワークを表す。
【００３６】
１０２．取得されたネットワーク種類に従って、ネットワーク種類に対応する履歴使用情報を決定する。
【００３７】
ネットワーク履歴使用情報は、トラフィック、使用期間、送信されたコンテンツの種類を含み、特に、課金期間の間に使用されたトラフィック及び期間、トラフィックパッケージのトラフィック限度、送信されたファイルの種類及びサイズ、等を有しても良い。装置とネットワーク側との間でトラフィック送信が実行されているとき、異なるネットワーク種類に対応する前述の種々のパラメータ種類は、履歴使用情報として格納される。本発明の技術的解決策では、これらのネットワーク履歴使用情報及び対応するネットワーク種類は、装置のメモリに一緒に格納され、現在の装置により使用されるネットワーク種類が識別により取得されると、対応するネットワーク履歴使用情報が、メモリから直接抽出されても良い。
【００３８】
１０３．ネットワーク履歴使用情報に従いユーザに想起させ、現在使用されているネットワーク種類及びトラフィック使用状況をユーザに知らせる。
【００３９】
想起を実行する実装方法について、本発明の技術的解決策の中で詳細な説明が後に適用される。
【００４０】
本解決策では、前述のステップが実行された後に、ユーザにより使用されるネットワーク種類は、自動的に監視でき、ユーザは、実際の状況に従って、ユーザに関係のあるネットワーク情報及びトラフィック情報を想起させられる。本例では、トラフィックが課金されるネットワークにおいてユーザが余分なトラフィックを使用することを回避でき、したがって、ユーザの利益が保証される。
【００４１】
さらに、本発明の本実施形態は、ユーザにより使用されるネットワーク種類を決定するために、以下の技術的解決策を更に提供する。図２に示すように、方法は、ステップ１０２の前に実行される以下のステップを含む。
【００４２】
２０１．装置により現在使用されているネットワーク種類が監視されるべきネットワーク種類であるか否かを決定し、ネットワーク種類が監視されるべきネットワーク種類である場合、ステップ１０２を実行し、或いは、ネットワーク種類が監視されるべきネットワーク種類ではない場合、ステップ２０２を実行する。
【００４３】
監視されるべきネットワーク種類は、少なくとも、セルラネットワークのような支払いの要求されるネットワーク種類を含む。具体的には、監視される必要のあるネットワーク種類は、ユーザにより設定されても良い。
【００４４】
１０２．取得されたネットワーク種類に従って、ネットワーク種類に対応するネットワーク履歴使用情報を決定する。
【００４５】
２０２．ユーザ操作に適正に応答するが、トラフィック想起のような操作をスキップする。
【００４６】
本解決策では、前述のステップが実行された後、特定のイベントがクライアントにおいてトリガされた後、ネットワーク種類の監視及び決定は、直接実行できる。異なるネットワーク種類では、課金方法が異なる。幾つかの課金方法においてはユーザは想起される必要があり、他の課金方法ではユーザは想起される必要がない。ユーザにより必要な情報の想起は、適時提供される。したがって、好適な経験がユーザに適用できる。
【００４７】
さらに、ユーザに想起させるために、ステップ１０３では、本発明の本実施形態は、以下の特定の実装方法を更に提供する。図３に示すように、実装方法は以下のステップを含む。
【００４８】
３０１．テキスト、画像、アニメーション、及び音声の４つの提示方法のうちの１つ又は組合せで、現在使用されているネットワーク種類及びトラフィック使用状況をユーザに提示する。
【００４９】
特定の表示コンテンツ及び特定の表示方法について、図４に示される概略図が参照されても良い。図は、想起効果図である。図中、想起情報は、浮遊ウインドウの形式で表示され、想起情報「セルラネットワークが有効です。今月残り３０Ｍです。」が特に提供される。さらに、設定キーが想起ボックスの右下隅に更に設けられる。したがって、ユーザは、想起ボックスを表示する期間又はオン／オフ及びネットワーク種類のハンドオーバーを設定できる。さらに任意で、浮遊ボックスが提示されているとき、装置の振動又は特定の音響効果も、浮遊ボックスの中の想起情報を読むようユーザに想起させるために、有効にされても良い。
【００５０】
３０２．予め設定された時間が経過した後に、提示を停止する。
【００５１】
予め設定された時間は、ユーザにより設定され、又はシステムにより予め設定される。
【００５２】
本解決策では、前述のステップが実行された後、想起機能は短時間のうちに完了されても良く、アプリケーションプログラムのユーザによる適正な使用が、長時間の想起により妨げられることが起きない。
【００５３】
特定のイベントの設定のために、本発明は、特に、以下の４つの特定の実装方法を提供する。
【００５４】
第１の実装方法では、システムにより識別され得るユーザ操作は、ユーザに提示され、監視されるべきユーザ操作は、ユーザの選択に従って設定される。具体的には、ユーザ操作の可能な提示効果は、図５に示される。
【００５５】
設定され図に示され得るユーザ操作は、追加動作、削除動作、動作順序調整のような機能を含む。前述の動作のうちの１つの動作が選択される場合、該動作は、位置を調整するために上に又は下に移動されても良く、又は削除されても良い。
【００５６】
第２の実装方法では、サーバによりプッシュされる監視されるべきアプリケーションプログラムのリストが受信され、監視されるべきアプリケーションプログラムは、監視されるべきアプリケーションプログラムのリストの中のアプリケーションプログラムに従って設定される。具体的には、リストを表示する可能な方法は以下の表１に示される。
【表１】
0006526044.tif 000002
【００５７】
表に示されるリスト構造は、アプリケーションプログラム識別子、バージョン番号、インストールパッケージの名称を含み、別の関連パラメータもこのリストに表示されても良い。アプリケーションプログラム識別子は、アプリケーションプログラムの一意性を識別する属性であり、名称、システムにより割り当てられたＩＤ、インストールパッケージの名称、等であっても良く、必須項目であり、バージョン番号等は任意項目である。
【００５８】
第３の実装方法では、ユーザ機器のクエリ要求に応答してサーバにより送信される監視されるべきアプリケーションプログラムのリストが受信され、監視されるべきアプリケーションプログラムは、監視されるべきアプリケーションプログラムのリストの中のアプリケーションプログラムに従って設定される。ここで、ユーザ機器のクエリ要求は、ユーザ機器にインストールされたアプリケーションプログラムを表すために使用され得る。
【００５９】
留意すべきことに、第２の実装方法及び第３の実装方法は、比較的類似しており、アプリケーションプログラムのリストの表示方法について、上記の表１に示されるコンテンツが参照されても良い。技術的実装における２つの方法の間の差は、サーバが積極的にトリガを実行し、ユーザがトリガを要求することにある。サーバが積極的にトリガを実行するメカニズムでは、サーバは、リストの形式で、監視される必要のある全ての要約したアプリケーションプログラムを、ユーザ機器へ送信する。したがって、ユーザ機器は、自身で、監視されるべきアプリケーションプログラムを選択する。しかしながら、ユーザがトリガを要求するメカニズムでは、概して、ユーザは、リストの形式で、装置にインストールされたアプリケーションプログラムをサーバへ送信し、次に、サーバは、インストールされたアプリケーションプログラムが監視される必要があるか否かを決定し、最後に、サーバは、リストの形式で、装置に対応する監視されるべきアプリケーションプログラムを、ユーザ機器へ送信する。したがって、ユーザ機器は、自身で、監視されるべきアプリケーションプログラムを選択する。
【００６０】
第４の実装方法では、システムにインストールされた全てのアプリケーションプログラムは、ユーザに提示され、監視されるべきアプリケーションプログラムは、ユーザの選択に従って設定される。アプリケーションプログラムの表示方法について、上記の表１に示したコンテンツが参照されても良い。
【００６１】
アプリケーションプログラム識別子、バージョン番号、監視オプション、等が含まれる。アプリケーションプログラム識別子は、アプリケーションプログラムの一意性を識別する属性であり、名称、システムにより割り当てられたＩＤ、インストールパッケージの名称、等であっても良く、必須項目である。バージョン番号等は、任意項目であり、監視オプションは、監視される必要のあるアプリケーションプログラムを選択するためにユーザにより使用される。
【００６２】
前述の全ての技術的解決策を参照して、本発明の一実施形態は、全体の情報想起手順の概略図を更に提供する。図６に示すように、手順は以下のステップを含む。
【００６３】
４００．処理手順を開始する。
【００６４】
４０１．特定のイベントが生じることが観測されると、装置により現在使用されているネットワーク種類を取得する。
【００６５】
４０２．装置により現在使用されているネットワーク種類が監視されるべきネットワーク種類であるか否かを決定し、ネットワーク種類が監視されるべきネットワーク種類である場合、ステップ４０３を実行し、或いは、ネットワーク種類が監視されるべきネットワーク種類ではない場合、ユーザ操作に適正に応答するが、トラフィック想起のような操作をスキップする。
【００６６】
４０３．取得されたネットワーク種類に従って、ネットワーク種類に対応するネットワーク履歴使用情報を決定する。
【００６７】
４０４．テキスト、画像、アニメーション、及び音声の４つの提示方法のうちの１つ又は組合せで、現在使用されているネットワーク種類及びトラフィック使用状況をユーザに提示する。
【００６８】
４０５．予め設定された時間が経過した後に、提示を停止する。
【００６９】
４０６．処理手順を終了する。
【００７０】
本発明の一実施形態は、情報想起装置を提供する。図７に示すように、装置は以下を含む。
特定のイベントが装置において現在生じているか否かを監視するよう構成される、イベント監視モジュール５１、
特定のイベントが生じると観測されたとき、装置により現在使用されているネットワーク種類を取得し、取得したネットワーク種類に従って、ネットワーク種類に対応するネットワーク履歴使用情報を決定するよう構成される、ネットワーク監視モジュール５２、
ネットワーク履歴使用情報に従いユーザに想起させて、現在使用されているネットワーク種類及びトラフィック使用状況をユーザに知らせるよう構成される、入力及び出力モジュール５３。
【００７１】
任意で、特定のイベントは、監視されるべきユーザ操作、装置の現在のネットワーク種類のハンドオーバー、監視されるべきアプリケーションプログラムの起動、及び監視されるべきアプリケーションプログラムにより使用されるネットワークトラフィックが閾を超える場合、のうちの１又は複数を含む。
【００７２】
任意で、ネットワーク監視モジュール５２は、装置により現在使用されているネットワーク種類が監視されるべきネットワーク種類であるか否かを決定し、監視されるべきネットワーク種類は少なくとも１つの支払いを要求される種類を含み、装置により現在使用されているネットワーク種類が監視されるべきネットワーク種類であるとき、取得したネットワーク種類に従って、ネットワーク種類に対応するネットワーク履歴使用情報を決定する、よう更に構成される。
【００７３】
任意で、入力及び出力モジュール５３は、テキスト、画像、アニメーション、及び音声の４つの提示方法のうちの１つ又は組合せで、現在使用されているネットワーク種類及びトラフィック使用状況をユーザに提示し、予め設定された時間が経過した後に、提示を停止する、よう特に構成される。
【００７４】
任意で、入力及び出力モジュール５３は、システムにインストールされた全てのアプリケーションプログラムをユーザに提示するよう更に構成され、又は、サーバによりプッシュされる監視されるべきアプリケーションプログラムのリストを受信するよう構成され、又は、ユーザ機器のクエリ要求に応答してサーバにより送信される監視されるべきアプリケーションプログラムのリストを受信し、ユーザ機器のクエリ要求はユーザ機器にインストールされたアプリケーションプログラムを表すために使用できる、よう構成され、又は、システムにより識別され得るユーザ操作をユーザに提示するよう構成され、及びユーザの入力操作を使用する。
【００７５】
イベント監視モジュール５１は、ユーザの選択に従って監視されるべきアプリケーションプログラムを設定するよう更に構成され、又は、監視されるべきアプリケーションプログラムのリストの中のアプリケーションプログラムに従って監視されるべきアプリケーションプログラムを設定するよう構成され、又は、ユーザの選択に従って監視されるべきユーザ操作を設定するよう構成される。
【００７６】
本発明の本実施形態で提供される情報想起装置は、ユーザにより使用されるネットワーク種類を自動的に監視し、実際の状況に従って、ユーザに関係のあるネットワーク情報及びトラフィック情報をユーザに想起させることができる。本例では、トラフィックが課金されるネットワークにおいてユーザが余分なトラフィックを使用することを回避でき、したがって、ユーザの利益が保証される。
【００７７】
本発明の一実施形態は、情報想起のために使用される電子端末を更に提供する。図８に示すように、電子端末は、プロセッサ６１と、メモリ６２と、入力及び出力モジュール６３と、を有する。メモリ６２は、コンピュータプログラムを格納するよう構成される。プロセッサ６１は、入力及び出力モジュール６３を制御するために、メモリに格納されたプログラムを呼び出すよう構成される。全てのモジュールは、図１乃至図７に示された方法手順を実施するために、バスを用いることにより互いに通信する。詳細は以下の通りである。
【００７８】
プロセッサ６１は、装置により現在使用されているネットワーク種類が監視されるべきネットワーク種類か否かを決定するよう構成される。
メモリ６２は、ネットワーク履歴使用情報と現在のネットワーク情報とを格納するよう構成される。
入力及び出力モジュール６３は、ネットワーク履歴使用情報に従いユーザに想起させて、現在使用されているネットワーク種類及びトラフィック使用状況をユーザに知らせるよう構成される。
【００７９】
任意で、特定のイベントは、監視されるべきユーザ操作、装置の現在のネットワーク種類のハンドオーバー、監視されるべきアプリケーションプログラムの起動、及び監視されるべきアプリケーションプログラムにより使用されるネットワークトラフィックが閾を超える場合、のうちの１又は複数を含む。
【００８０】
プロセッサ６１は、装置により現在使用されているネットワーク種類が監視されるべきネットワーク種類であるか否かを決定し、監視されるべきネットワーク種類は少なくとも１つの支払いを要求される種類を含み、装置により現在使用されているネットワーク種類が監視されるべきネットワーク種類であるとき、取得したネットワーク種類に従って、ネットワーク種類に対応するネットワーク履歴使用情報を決定する、よう更に構成される。
【００８１】
任意で、入力及び出力モジュール６３は、テキスト、画像、アニメーション、及び音声の４つの提示方法のうちの１つ又は組合せで、現在使用されているネットワーク種類及びトラフィック使用状況をユーザに提示し、予め設定された時間が経過した後に、提示を停止する、よう特に構成される。
【００８２】
任意で、入力及び出力モジュール６３は、システムにインストールされた全てのアプリケーションプログラムをユーザに提示するよう更に構成され、又は、サーバによりプッシュされる監視されるべきアプリケーションプログラムのリストを受信するよう構成され、又は、システムにより識別され得るユーザ操作をユーザに提示するよう構成される。
【００８３】
プロセッサ６１は、ユーザの選択に従って、監視されるべきアプリケーションプログラムを設定するよう更に構成され、又は、監視されるべきアプリケーションプログラムのリストの中のアプリケーションプログラムに従って監視されるべきアプリケーションプログラムを設定するよう構成され、又は、ユーザ機器のクエリ要求に応答してサーバにより送信される監視されるべきアプリケーションプログラムのリストを受信するよう構成され、又は、ユーザ機器のクエリ要求は、ユーザ機器にインストールされたアプリケーションプログラムを表すために使用できるよう構成され、又は、ユーザの選択に従って監視されるべきユーザ操作を設定するよう構成される。
【００８４】
本発明の本実施形態で提供される電子端末は、ユーザにより使用されるネットワーク種類を自動的に監視し、実際の状況に従って、ユーザに関係のあるネットワーク情報及びトラフィック情報をユーザに想起させることができる。本例では、トラフィックが課金されるネットワークにおいてユーザが余分なトラフィックを使用することを回避でき、したがって、ユーザの利益が保証される。
【００８５】
実装方法の前述の説明に基づき、当業者は、本発明が必要な汎用ハードウェアに加えてソフトウェアにより又はハードウェアのみにより実装され得ることを明確に理解できる。殆どの環境において、前者が好適な実装方法である。このような理解に基づき、本発明の技術的解決策、又は従来技術に貢献する部分は、ソフトウェア製品の形式で実施されても良い。コンピュータソフトウェア製品は、コンピュータのフロッピーディスク、ハードディスク、又は光ディスクのような可読記憶媒体に格納され、コンピュータ装置（パーソナルコンピュータ、サーバ、ネットワーク装置、等であっても良い）に、本発明の実施形態で記載された方法を実行するよう指示する幾つかの命令を含む。
【００８６】
上述の説明は、本発明の単なる具体的な実装方法であり、本発明の保護範囲を制限することを意図しない。本発明で開示された技術範囲内にある、当業者により直ちに考案される変形又は置換は、本発明の保護範囲に包含される。したがって、本発明の保護範囲は、特許請求の範囲に従う。
【図１】
0006526044.tif 000003
【図２】
0006526044.tif 000004
【図３】
0006526044.tif 000005
【図４】
0006526044.tif 000006
【図５】
0006526044.tif 000007
【図６】
0006526044.tif 000008
【図７】
0006526044.tif 000009
【図８】
0006526044.tif 000010